(57)【特許請求の範囲】
【請求項１】
送り歯（３６）の移動距離を調節するために、回転シャフト（５）上に配置される調節可能な回転ステッチ長調節器（５０）を有するミシン（１）において、
上記送り歯に連結され且つこれを駆動する偏心部品（４３）であって、上記回転シャフトに対して、その周囲且つ半径方向において調節可能に配置され、軸線方向に延びそこに形成される雌ねじ穴（７９）を有する肩部（７８）を備える偏心部品と、
上記雌ねじ穴と螺合するように、上記回転シャフト上で回転移動のために支持されるねじ付きスピンドル（８１）と、
上記回転シャフトに固定され、端面（４１）を有するフランジ（４２）と、
上記回転シャフトの周囲に配置され、端面（４４）を有する環状本体（４５）と、を備え、
上記偏心部品は、上記環状本体の上記端面と上記フランジの上記端面との間に配置され、その間で半径方向に調節されるように、上記両端面の摩擦力手段による摩擦係合を維持しつつこれによって案内されることを特徴とするミシン。
【請求項２】
上記回転シャフトと平行に延び、上記偏心部品と上記環状本体（４５）と上記フランジ（４２）との中に形成される細長い穴（９３，９４）と、
上記細長い穴を通って延びるねじ（４７，５３）と、
上記両端面と上記偏心部品との間に摩擦力を加えるために、上記ねじによって支持されるばねワッシャ（４８，４９，５６，５７）と、を更に有することを特徴とする請求項１記載のミシン。
【請求項３】
上記スピンドル（８１）のねじヘッド（６１）は、当該スピンドルを回転するための調節スロット（６２）を有することを特徴とする請求項１又は２に記載のミシン。
【請求項４】
上記偏心部品（４３）の上記肩部（７８）は、上記環状本体（４５）の溝（８２）に突出することを特徴とする請求項１乃至３の何れか一項に記載のミシン。
【請求項５】
上記ねじヘッド（６１）は、カバー（５９）の中で溝（８２）内に軸線方向に位置決めされていることを特徴とする請求項３又は４に記載のミシン。
【発明の詳細な説明】
【０００１】
【産業上の利用分野】
本発明は、請求項１の前段に記載した回転ステッチ長調節器を持つミシンに関する。
【０００２】
【従来の技術】
ドイツ国特許第８３４，４９７号と対応する米国特許第２，６４３，６２５号には、外偏心部品によって取り囲まれた内偏心部品を回転シャフトが支持するミシンが開示されている。内偏心部品はシャフトに関して回転し、これに対し、外偏心部品はシャフトとともに回転する。この装置は、外偏心部品のシャフトの軸線に対する偏心度を変化させることができるけれども、調節を行う場合に内偏心部品を固定的に保持し、シャフトを回転させる必要がある。
【０００３】
【発明が解決しようとする課題】
かくして、本発明の目的は、加工物送り装置のステッチ長を調節するため、回転ステッチ長調節器を便利な方法で調節することである。
【０００４】
【課題を解決するための手段】
この目的は、請求項１の特徴部分に記載した特徴によって達成される。本発明の構成によれば、偏心部品を半径方向に移動させるために雌ねじにねじ込むことのできるスピンドルにより、ステッチ長を、便利な方法で、例えばねじ廻しによって、調節することができる。
【０００５】
請求項１に記載した便利であり且つ有利なミシンの実施例は、従属項に記載してある。
【０００６】
本発明は、添付図面と関連した本発明の好ましい実施例の以下の説明により、更によく理解されるであろう。
【０００７】
【実施例】
図１は、持ち上げ−送り運動を行う加工物送り装置３を収容した下部分２を持つミシン１の一部を示す。ミシン針４の存在により、下送り装置として設計された加工物送り装置３の図が明瞭になっている。回転シャフト５は、下部分２の中間プレート６に取り付けられており、モータ（図示せず）によって駆動される。揺動シャフト７が中間プレート６に枢着されている。揺動シャフト７には、フォーク状揺動クランク９がねじ８で取り付けられており、揺動クランク９のフォーク端はジャーナル１０で送りフレーム１１に関節連結されている。これらの部品は、送り装置１２の部品である。
【０００８】
送りフレーム１１は、開口部１５及び１６を持つアイ１３及び１４を有し、これらのアイは、持ち上げロッド１８の摺動案内体１７を形成する。
【０００９】
一端が揺動クランク９及びジャーナル１０で案内される送りフレーム１１の他端には、ブロック２１を摺動自在に取り囲むフォーク２０を備えた案内体１９が設けられている。ブロック２１は、偏心配置されたジャーナル２２に取り付けられており、このジャーナルは、その左端位置に配置されており、調節スロット２３を有する。ねじ２４で取り付けられた爪部品２５がジャーナル２２を取り囲み送りフレーム１１を横方向に案内する。
【００１０】
ルーパーシャフト２６は、ミシン針４と協働するルーパー２９がねじ２８で取り付けられたルーパーホルダ２７を支持する。
【００１１】
持ち上げロッド１８はクランプ部品３１を支持し、このクランプ部品は、ねじ３２で持ち上げロッド１８に取り付けられている。クランプ部品３１は、偏心部品３４でシャフト５に駆動連結されている。持ち上げロッド１８の自由端には、加工物送り装置として周知の送り歯３６がねじ３５で取り付けられている。送り歯は、偏心部品３４が図示のようにその上位置に配置されているとき、針板３７を通って突出している。抑金３８は、送り歯３６及び針板３７と協働して加工物（図示せず）を断続的に前方に送ることができる。
【００１２】
図２は、下部分２を上方から見た断面図である。シャフト５にはカラー４０がねじ３９で取り付けられており、カラーには端面４１を持つフランジ４２が配置されている。半径方向に移動可能な偏心部品４３及びシャフト５に取り付けられ且つ端面４４を有する環状本体４５は、フランジ４２と軸線方向で隣接している。円筒形のヘッド４６を備えたねじ４７は環状本体４５、偏心部品４３、並びにフランジ４２を貫通し、フランジ４２から突出したその端部で周知の円錐形ばねワッシャ４８及び４９の夫々を支持する。フランジ４２を備えたカラー４０、偏心部品４３、及び環状本体４５は、回転ステッチ長調節器５０の部品である。
【００１３】
ねじ４７はナット５１に螺合し、このナットは、形態係止された、即ちカラー４０のポケット５２に回転しないように固定されており且つ二つのばねワッシャ４８及び４９で押圧されている。別のねじ５３が、同様に、カラー４０のポケット５５に配置されたナット５４並びに二つのばねワッシャ５６及び５７で押圧されている。従って、端面４１及び４４を介して摩擦力が偏心部品４３に作用する。ねじ４７の円筒形ヘッド４６は、ねじ５８で回転しないように固定されている。環状本体４５はカバー５９を支持し、このカバーの下には調節スロット６２を供えたねじヘッド６１を持つねじ６０が回転可能に位置決めされている。
【００１４】
揺動シャフト７には別のフォーク状揺動クランク６４がねじ６３で取り付けられており、このクランクのフォーク端には、連結ロッド６７の一端を別のフォーク状揺動クランク６４に関節連結するジャーナル６６がねじ６５で取り付けられている。連結ロッド６７は、その他端で偏心部品４３を関節連結的に取り囲んでいる。
【００１５】
図３に示すように、クランプ部品３１は、連結ロッド７１のアイ６９によって取り囲まれたジャーナル６８を有する。連結ロッド７１は、ジャーナル６８に枢着されている。連結ロッド７１の他方のアイ７２は、偏心部品３４を取り囲んでいる。偏心部品３４、連結ロッド７１、及びクランプ部品３１は、持ち上げ装置７３の部品である。
【００１６】
ピン７５がフランジ４２の開口部７４に取り付けられており、このピンは、シャフト５と平行に配置され、シャフト５に対して垂直に配置された偏心部品４３の溝７６内に突出している。偏心部品４３は、シャフト５を取り囲む細長い穴７７を有する。この細長い穴７７により、偏心部品４３を半径方向に移動させることができる。偏心部品は図３においてその上位置、及びかくして加工物送り装置３のステッチ長を最大にすることができる位置で示してある。
【００１７】
偏心部品４３の横方向に配置された平らな肩部７８は、スピンドル８１、即ちねじ６０のねじ山を備えたシャンクをねじ込むことのできる雌ねじ７９を有する。肩部７８は、環状本体４５の溝８２内に突出しており、ねじ８３でシャフト５に取り付けられている。
【００１８】
下部分２は開口部８４を有し、この開口部の下にはカバー５９の開口部８５が配置されている。これらの開口部８４及び８５により、調節スロット６２にねじ廻し（図示せず）を差し込んでねじ６０を廻すことができる。ねじのヘッド６１はカバー５９の溝８６内に位置決めされており、これによりねじ６０を廻すと肩部７８の雌ねじ７９及びかくして偏心装置４３がシャフト５に関して半径方向に移動する。
【００１９】
図４は、スピンドル８１による肩部７８及びかくして偏心部品４３の調節を明瞭に示す。カバー５９は、環状本体４５の平らな部分８７にねじ８８及び８９の夫々で取り付けられている。ねじ５３のねじヘッド９１は、ねじ９２で回転しないように固定されている。
【００２０】
図５は、連結ロッド６７によって関節連結をなして取り囲まれた偏心部品４３を示し、この偏心部品には、ねじ４７が貫通した細長い穴９３及びねじ５３が貫通した細長い穴９４が設けられている。細長い穴９３及び９４により、偏心部品４３を半径方向に移動させることができる。
【００２１】
送り歯３６及び偏心部品４３の移動距離の調節は、以下のように行われる。
【００２２】
開口部８４及び８５を通ってねじヘッド６１の調節スロットと係合するねじ廻し（図示せず）によってスピンドル８１を廻すことができる。右ねじを備えたスピンドル８１を反時計廻り方向に廻すと、偏心部品４３の肩部７８がシャフト５へ向かって押され、従って、シャフト５の軸線に対する偏心部品４３の偏心度が小さくなる。これによって、ミシンのステッチの長さが短くなり、送り歯３６の移動距離が小さくなる。ばねワッシャ４８、４９、５６、及び５７によって生ぜしめられ、偏心部品４３に横方向に作用する摩擦力のため、前記偏心部品はその作動位置に更にしっかりと固定される。
【図面の簡単な説明】
【図１】送り歯を備えた加工物送り装置を持つミシンの下部分の部分断面正面図である。
【図２】回転ステッチ長調節器を備えたミシンの下部分の断面平面図である。
【図３】回転ステッチ長調節器を備えたミシンの図１の III−III 線での断面図である。
【図４】図３のIV−IV線での断面図である。
【図５】図３のＶ−Ｖ線での断面図である。
【符号の説明】
１  ミシン
３  加工物送り装置
５  回転シャフト
４１  端面
４２  フランジ
４３  偏心部品
４４  端面
４５  環状本体
４７  ねじ
４８、４９  ばねワッシャ
５３  ねじ
５６、５７  ばねワッシャ
５９  カバー
６１  ねじヘッド
６２  調節スロット
７８  肩部
７９  雌ねじ
８１  スピンドル
８２  溝
８６  溝
【図１】
0003542391.tif 000002
【図２】
0003542391.tif 000003
【図３】
0003542391.tif 000004
【図４】
0003542391.tif 000005
【図５】
0003542391.tif 000006